(57)【要約】【課題】肥料管理及び給水管理が簡便な栽培装置及び栽培システムを提供する。【解決手段】本発明の栽培装置１は、培養液を貯留する培養液貯留部２０、培養液貯留部２０の上方に設けられ、培地を配置可能な培地収容部２１、を有する単一の外装容器１０と、前記培養液貯留部２０に貯留された培養液を前記培地収容部２１に散水する散水ライン３１と、前記散水ライン３１に培養液を送る送液ポンプ３０と、を備える。培養液は送液ポンプ３０で自動で送られるので培養液の供給が容易である。また、前記外装容器１０の内側領域１１ａ，１２ａに段部１１ｃ，１２ｃを設けることにより、プランタ４０が段部１１ｃ，１２ｃに可能となり、プランタ４０が外装容器１０の外部からは見えなくなる。【選択図】図１
2018014959.tif 000002
【特許請求の範囲】
【請求項１】
培養液を貯留する培養液貯留部、及び、前記培養液貯留部の上方に設けられ且つ培地を配置可能な培地収容部を有する単一の外装容器と、
前記培養液貯留部に貯留された培養液を前記培地収容部に散水する散水ラインと、
前記散水ラインに培養液を送る送液ポンプと、
を備える栽培装置。
【請求項２】
前記培地収容部は、培地を収納可能なプランタを着脱式に収容可能であり、
前記外装容器の内側領域に段部が設けられ、前記段部によって、前記プランタが保持される、
請求項１に記載の栽培装置。
【請求項３】
前記外装容器は、互いに対向する一対の端壁部を備え、前記端壁部における、前記培養液貯留部に対応する位置には、貫通孔が設けられている、
請求項１または２に記載の栽培装置。
【請求項４】
培養液を貯留する培養液貯留部、及び、前記培養液貯留部の上方に設けられ且つ培地を配置可能な培地収容部を有する単一の外装容器、
前記培養液貯留部に貯留された培養液を前記培地収容部に散水する散水ライン、並びに、
前記散水ラインに培養液を送る送液ポンプ、
を備える栽培装置と、
前記外装容器の外周に装着される装着部、及び
前記装着部に対して着脱可能で、前記外装容器の上部に配置される誘引部、を備える架台と、
を具備する栽培システム。
【発明の詳細な説明】
【技術分野】
【０００１】
本発明は、植物の栽培装置及び栽培システムに関する。
【背景技術】
【０００２】
近年、壁面緑化は、都市部で問題になっているヒートアイランド現象の緩和策、省エネ対策の他にも多くの効果が期待できる。しかし、壁面緑化は、立体的に緑化する必要があるため、設置コストが高くなる傾向がある。また、壁面緑化は完成後も美観を維持するための管理に多大な労力と費用が必要であることから、広く普及するに至っていない。
【０００３】
壁面を緑化する方法の多くは、土面を利用して植物を栽培するものである。しかし、土面が確保できない等の制約がある場所での壁面緑化には、栽培容器としてプランタが用いられる。プランタを用いた壁面緑化における潅水は、培地に水道水を散水する掛け流し方法が多く採用されている。
【０００４】
また、かけ流し以外の潅水方法として、底面給水という方法もある（特許文献１参照）。特許文献１に記載のプランタは、屋外に設置されるもので、上端が開口したハウジングと、このハウジング内の下部に有底状に設けられ最も蒸発散する時期に空にならない程度の水量を貯える貯水槽と、上記ハウジング内の上部に設けられ過剰に含んだ雨水を上記貯水槽へ落下させる培地と、この貯水槽の水を上記培地の乾燥時に上記培地へ供給する給水部材とを備えた無灌水式プランタである。
【先行技術文献】
【特許文献】
【０００５】
【特許文献１】特開平５−２３０６５号公報
【発明の概要】
【発明が解決しようとする課題】
【０００６】
上述の、かけ流しを行う場合、肥料管理が難しく、またプランタ毎に施肥作業を行わなければならないため手間がかかる。
特許文献１記載の底面給水は、給水部材の毛細現象によるものであり、十分な給水が行われない可能性がある。また、均一な給水も困難である。
【０００７】
本発明は、肥料管理及び給水管理が簡便な栽培装置及び栽培システムを提供することを目的とする。
【課題を解決するための手段】
【０００８】
本発明は、培養液を貯留する培養液貯留部、及び、前記培養液貯留部の上方に設けられ且つ培地を配置可能な培地収容部を有する単一の外装容器と、前記培養液貯留部に貯留された培養液を前記培地収容部に散水する散水ラインと、前記散水ラインに培養液を送る送液ポンプと、を備える栽培装置である。
【０００９】
前記培地収容部は、培地を収納可能なプランタを着脱式に収容可能であり、前記外装容器の内側領域に段部が設けられ、前記段部によって、前記プランタが保持されることが好ましい。
【００１０】
前記外装容器は、互いに対向する一対の端壁部を備え、前記端壁部における、前記培養液貯留部に対応する位置には、貫通孔が設けられていることが好ましい。
【００１１】
また、本発明は、培養液を貯留する培養液貯留部、及び、前記培養液貯留部の上方に設けられ且つ培地を配置可能な培地収容部を有する単一の外装容器、前記培養液貯留部に貯留された培養液を前記培地収容部に散水する散水ライン、並びに、前記散水ラインに培養液を送る送液ポンプ、を備える栽培装置と、前記外装容器の外周に装着される装着部、及び前記装着部に対して着脱可能で、前記外装容器の上部に配置される誘引部、を備える架台と、を具備する栽培システムである。
【発明の効果】
【００１２】
本発明によれば、肥料管理及び給水管理が簡便な栽培装置及び栽培システムを提供することができる。
【図面の簡単な説明】
【００１３】
【図１】本発明の第１実施形態の栽培装置１の幅方向の断面図である。
【図２】栽培装置１の長手方向の断面図である。
【図３】栽培装置１の上面図である。
【図４】栽培装置１及び架台５を示す斜視図である。
【図５】本発明の第２実施形態の栽培装置１００を示す図である。
【図６】本発明の第３実施形態の栽培装置２００を示す図である。
【図７】本発明の第４実施形態の栽培装置３００を示す図である。
【図８】本発明の第５実施形態の栽培システム４０３示す図である。
【図９】本発明の第６実施形態の栽培装置６００を示す図である。
【図１０】本発明の第７実施形態の栽培装置７００を示す図である。
【発明を実施するための形態】
【００１４】
以下、図面を参照しながら、本発明の第１実施形態の栽培装置１及びその栽培装置１と架台５とを含む栽培システム３について説明する。図１は本発明の第１実施形態の栽培装置１の幅方向の断面図である。図２は、栽培装置１の長手方向の断面図である。図３は栽培装置１の上面図である。図４は栽培装置１と、その栽培装置１に取り付けられた架台５とを含む栽培システム３の斜視図である。
【００１５】
栽培装置１は、内部にプランタ４０を設置可能な外装容器１０と、外装容器１０の内部に配置される送液ポンプ３０と、送液ポンプ３０により送り出される培養液を、外装容器１０に設置されたプランタ４０に散水する散水ラインである散水パイプ３１と、を備える。
【００１６】
（プランタ４０）
まず、栽培装置１の内部に配置可能なプランタ４０について説明する。プランタ４０の形状はこれに限定されるわけではないが、上部が開口し、下部になるに従い上部よりも若干寸法が小さくなった箱型の本体部４１と、本体部４１の上縁部から外側に向かって湾曲したフランジ部４２とを有する。
プランタ４０は、内部に培土を収容して透水性を有する培地４６を形成する。プランタ４０の底面４４には開口４３が設けられ、また本体部４１の上部の側面には、排水穴４５が設けられている。
なお、このプランタ４０としては、上記構成を有する市販のプランタを用いることができる。
【００１７】
（外装容器１０）
栽培装置１の外装容器１０は、互いに対向する一対の横壁部１１と、互いに対向する一対の端壁部１２と、底部１３とを有する、上部が開口した箱型部材である。実施形態では横壁部１１は端壁部１２より長尺となっている。
【００１８】
（横壁部１１）
横壁部１１は、内側領域１１ａと外側領域１１ｂとを有する。図１に示すように、内側領域１１ａの高さは外側領域１１ｂよりも低く、内側領域１１ａの上端には、段部１１ｃが形成されている。
図１に示すように、対向する横壁部１１の間隔（内側領域１１ａの内面同士の間隔）ｘ１は、プランタ４０のフランジ部４２が段部１１ｃに載置されたときの、プランタ４０における、段部１１ｃと同じ高さの位置での幅ｘ２より大きく、フランジ部４２の最大幅ｘ３より小さい。
外側領域１１ｂの内面同士の間隔ｘ４は、フランジ部４２の最大幅ｘ３より大きい。
【００１９】
内側領域１１ａの段部１１ｃから底部１３の上面までの長さｙ１は、プランタ４０における、フランジ部４２の下端から底面４４までの長さｙ２より長い。
【００２０】
したがって、プランタ４０を外装容器１０の内部に配置すると、プランタ４０のフランジ部４２は段部１１ｃに載置され、プランタ４０の底面４４は外装容器１０の底部１３の上面に対して、所定距離（ｙ１−ｙ２）離間した状態で保持される。
【００２１】
（端壁部１２）
図２に示すように、端壁部１２も、内側領域１２ａと外側領域１２ｂとを有する。内側領域１２ａの高さは外側領域１２ｂよりも低く、内側領域１２ａの上端は、段部１２ｃが形成されている。端壁部１２の内側領域１２ａの高さは、横壁部１１の内側領域１１ａの高さと同じである。端壁部１２の外側領域１２ｂの高さは、横壁部１１の外側領域１１ｂの高さと同じである。
【００２２】
図２及び図３に示すように、対向する横壁部１１の間には、一方の端壁部１２から順に、第１中間壁部１４Ａ、第２中間壁部１４Ｂが設けられている。以下、この一方の端壁部１２が設けられている側を後方、他方の側を前方という。そして、この一方の端壁部１２を後端壁部１２Ａといい、他方の端壁部１２を前端壁部１２Ｂという。なお、特に区別する必要ない場合、合わせて中間壁部１４という。
端壁部１２Ａには貫通穴１２ｄが設けられている。この貫通穴１２ｄは、培地収容部２１の底面４４に設けられた開口４３が、培養液貯留部２０に貯留される培養液に触れることがないような高さに、設けられている。
この貫通孔２ｄの高さは、図１に示すｙ１−ｙ２が１００ｍｍからｙ２+１００ｍｍになるような範囲に設定する。
【００２３】
（中間壁部１４）
第１中間壁部１４Ａの上端の高さは、段部１１ｃ、１２ｃの高さと同じである。
第２中間壁部１４Ｂの上端の高さは、図２に示すように前方の部分以外、段部１１ｃ、１２ｃの高さと同じである。
中間壁部１４の下端は、底部１３の上面まで延びていない。すなわち、中間壁部１４の下端と底部１３の上面との間には空間が設けられ、この空間は、溶液が貯留される培養液貯留部２０となる。
【００２４】
一方、外装容器１０の内部空間における培養液貯留部２０の上部は、培地収容部２１となる。培地収容部２１は、プランタ４０が配置される領域であり、第１プランタ配置領域２１Ａと、第２プランタ配置領域２１Ｂとを含む。
【００２５】
（第１プランタ配置領域２１Ａ）
後端壁部１２Ａと第１中間壁部１４Ａとの間は、第１プランタ配置領域２１Ａである。
第１プランタ配置領域２１Ａの長手方向の長さ（後端壁部１２Ａの内側領域１２ａの内面と、その内面と対向する第１中間壁部１４Ａの面との間の距離）ｚ１Ａは、フランジ部４２が段部１１ｃ、１２ｃに載置されたときの、プランタ４０における段部１１ｃ、１２ｃと同じ高さの長手方向の長さｚ２Ａより大きい。
【００２６】
（第２プランタ配置領域２１Ｂ）
第１中間壁部１４Ａと第２中間壁部１４Ｂ部との間は、第２プランタ配置領域２１Ｂである。
第２プランタ配置領域２１Ｂの長手方向の長さ（第１中間壁部１４Ａと第２中間壁部１４Ｂ部との対向面間の距離）ｚ１Ｂも、フランジ部４２が中間壁部１４に載置されたときの、プランタ４０における段部１１ｃ、１２ｃと同じ高さの部分の長手方向の長さｚ２Ｂより大きい。
【００２７】
また、横壁部１１における後端壁部１２Ａと第１中間壁部１４Ａとの間の中間位置と、第１中間壁部１４Ａと第２中間壁部１４Ｂとの間の中間位置とには、段部１１ｃよりも低く、且つ段部１１ｃよりも幅の広い段部である着脱用空間部１１ｄが設けられている。
【００２８】
本実施形態によると、後端壁部１２と第１中間壁部１４Ａとの間である第１プランタ配置領域２１Ａ、第１中間壁部１４Ａと第２中間壁部１４Ｂ部との間である第２プランタ配置領域２１Ｂのそれぞれにプランタ４０が配置可能である。
なお、本実施形態では、このように外装容器１０の内部に、プランタ４０を２つ収納可能となっている。ただしこれに限定されず、内部に収納可能なプランタ４０の数は１でもよく、また、２より多くてもよい。
【００２９】
（水位計１９）
第１中間壁部１４Ａには高さ方向に延びる貫通孔１５が設けられており、その貫通孔１５には筒部材１６が挿通されている。筒部材１６には浮フロート１８が取り付けられた水位計１９が挿入されている。
水位計１９は、外装容器１０の内部の２０に貯留されている培養液の水位が変わることにより、筒部材１６の上端より延びる水位計１９の高さが変化することで、内部の培養液の水位を検知することができる。
【００３０】
（ポンプ配置領域２２）
第２中間壁部１４Ｂと前端壁部１２との間は、ポンプ配置領域２２である。
底部１３は、所定の厚みを有する板状部材であり、ポンプ配置領域２２における底部１３には、上面の高さが他の部分よりも低くなった凹部１３ａが形成されている。その凹部１３ａに送液ポンプ３０が配置されている。
この凹部１３ａにより、送液ポンプ３０の前後方向の移動が制限され、運搬時等に送液ポンプ３０が、培養液貯留部２０における第２プランタ配置領域２１Ｂ及び第１プランタ配置領域２１Ａの下部まで移動することが防止される。
また、凹部１３ａが設けられていることにより、凹部１３ａにおける水位（水深）は他の部分よりも高くなり、送液ポンプ３０の吸い込み可能な水位を確保することができ、培養液貯留部２０に貯留されている培養液を滞留させることなく使用することができる。ゆえに、培養液貯留部２０において送液ポンプ３０に対して有効な水量を確保しつつ、コンパクト化が可能となる。
【００３１】
（底部１３）
なお、底部１３の下面には、幅方向に延びる複数の溝１３ｂが設けられている。溝１３ｂが設けられているので、栽培装置１が野外に設置されている場合において例えば雨等が降ったときに、雨水が底部１３の下に溜まることなく、溝１３ｂより流れ出ることができる。また、栽培装置１が設置されている床面の清掃を行う場合等において溝１３ｂに水を流すことができる。
【００３２】
（送液ポンプ３０）
ポンプ配置領域には、送液ポンプ３０が配置されている。使用される送液ポンプ３０は、例えば水陸両用のポンプで低騒音のものが好ましい。
【００３３】
（散水パイプ３１）
送液ポンプ３０から上部に送液ラインとして散水パイプ３１が延びている。散水パイプ３１は、送液ポンプ３０から上方に延びている。そして、第２中間壁部１４Ｂ及び第１中間壁部１４Ａの上を通って、後端壁部１２Ａの直前まで延び、その端部はＵ字状に曲がってプランタ４０の内部を向いている。
散水パイプ３１の第２プランタ配置領域２１Ｂ，第１プランタ配置領域２１Ａの上を通る部分の下部には、複数の散水穴３１ａが設けられている。
【００３４】
（架台５）
図４に示すように、実施形態の栽培装置１の外周には架台５が装着可能であり、栽培装置１と架台５とで栽培システム３を構成する。
架台５は、栽培装置１によって栽培される、例えば蔓性の植物を誘引するためのものである。
架台５は、栽培装置１の長手方向の前後の端部に配置されて上下に延びる２本の支持柱５１を備える。支持柱５１は、それぞれ、上部支持柱５１Ａと下部支持柱５１Ｂとに分離可能で、下部支持柱５１Ａに対して上部支持柱５１Ｂが着脱可能となっている。
架台５は、外装容器１０の外周に取り付けられる装着部５Ｂと、外装容器１０の上部に配置される誘引部５Ａとを備える。
このように栽培装置１と架台５が一体化して栽培システム３を構成しているので、栽培装置１か架台５の底面にキャスター等の可搬装置を装着可能で、植物を誘引部５Ａに繁茂したまま緑化面を移動することができる。
【００３５】
誘引部５Ａは、上部支持柱５１Ａと、栽培装置１よりも上部において、２本の上部支持柱５１Ａの間を長手方向に延びる上部横柱５２ａと下部横柱５２ｂとを備える。
さらに、上部横柱５２ａと下部横柱５２ｂとを挟んで幅方向の一方と他方とに交互に配置された上下に延びる複数の誘引柱５３と、交互に配置されている誘引柱５３を互いに連結し、横柱と交差するように配置されている補助部材５４とを備える。
【００３６】
装着部５Ｂは、外装容器１０の下部の外周に配置された外枠部５５と、下部支持柱５１Ｂと、この下部支持柱５１Ｂの下部において、下部支持柱５１Ａから斜めに延びて外枠部５５に連結することにより支持柱５１の直立を補強する補強部材５６とを備える。
【００３７】
外枠部５５の中央部には、幅方向に床柱５７（図２に図示）が延びている。床柱５７は、底部１３の溝１３ｂの一つを通り、両端が外枠部５５に連結されている。
【００３８】
また、外装容器１０の端壁部１２の外側には、下部支持柱５１Ｂがはめ込み可能な架台装着凹部２９が設けられている。
なお、本実施形態では、架台５の誘引部５Ａを栽培装置１の上部に配置したが、これに限定されず、栽培装置の前に誘引部５Ａを配置しても良い。
【００３９】
（使用方法）
栽培装置１の外周に架台５の装着部５Ｂを装着する。栽培装置１の外装容器１０の内部に培養液を入れる。なお、培養液は、この段階でなくてもよく、後に入れてもよい。
【００４０】
プランタ４０を外装容器１０の第１プランタ配置領域２１Ａ及び第２プランタ配置領域２１Ｂに配置する。プランタ４０には、栽培装置１に配置する前後のいずれでもよいが培養土が入っており、その培養土には植物が植えこまれている。
【００４１】
プランタ４０を外装容器１０の第１プランタ配置領域２１Ａ及び第２プランタ配置領域２１Ｂに配置する際、例えば１つめのプランタ４０のフランジ部４２の長手方向の中央部を持つ。そして、第１プランタ配置領域２１Ａ内に配置する。
このとき、着脱用空間部１１ｄが、設けられているため、フランジ部４２が段部１１ｃ、１２ｃ及び第１中間壁部１４Ａに載置されるまで、プランタ４０を手で保持していることが可能であり、装着が容易である。
同様に、２つ目のプランタ４０を配置する際も同様である。
【００４２】
プランタ４０を配置すると、プランタ４０の底部１３は外装容器１０の底部１３に対して、ｙ１−ｙ２が１００ｍｍからｙ２+１００ｍｍになるような範囲で保持される。
【００４３】
架台５の誘引部５１Ｂを装着部５１Ａに取り付ける。外装容器１０の内部に培養液が入った状態で送液ポンプ３０を作動させる。送液ポンプ３０を作動させる時間は、季節等によって異なるが、例えば１日１回、５分程度とし、その時間はタイマー等で管理可能である。
送液ポンプ３０が作動されると、培養液は、散水パイプ３１を伝わって上部へと送出され、散水穴３１ａより培地へ散水される。
【００４４】
(効果）
このように、培養液は送液ポンプ３０により自動で送られるので、使用者の散水及び培養液の供給の手間を省くことができる。また、培養液の供給忘れによる乾燥や発育不全が生じることがない。
【００４５】
培養液は、かけ流しでなく、培地により吸収されなかった培養液は、プランタの開口４３より培養液貯留部２０に流れ出る。培養液貯留部２０に貯留された培養液は、再度、送液ポンプ３０で培地へと送られるので、培養液が無駄になることがない。ゆえに、環境汚染等の可能性が少ない。
【００４６】
培養液は外装容器１０内に貯留されるので、液肥管理が容易となり施肥作業が短縮できる。
【００４７】
また、外装容器１０内に培養液貯留部２０と培地収容部２１とを設置し、一体化しているので、培養液タンク等を別途設ける必要がなく、タンクの設置場所が不要となり、省スペース化が図れる。
【００４８】
外装容器１０内部にプランタ４０を設置する際、プランタ４０のフランジ部４２が、内側に設けられた段部１１ｃ、１２ｃに載置される。その外側には、１１ｃ、１２ｃより高い外側領域１１ｂ、１２ｂが設けられている。したがって、プランタ４０が外装容器１０の外部からは見えない。ゆえに、プランタ４０の外観にこだわることなく汎用の安価なものを使用することができる。
【００４９】
プランタ４０は着脱可能であるので、取替用として予備も準備できる。
【００５０】
また、プランタ４０の排水不良により培養液がオーバーフローした場合においても、プランタ４０には排水穴４５が設けられている。排水穴４５から流れた培養液は、段部１１ｃ、１２ｃに流れ出て、培養液貯留部２０へと流れるので、漏水を防ぐことができる。
【００５１】
外装容器１０の内部の２０に貯留されている培養液の水位が変わることにより、筒部材１６の上端より延びる水位計１９の高さが変化するので、外装容器１０内部の培養液の水位を検知することができる。
【００５２】
底部１３の下面には、複数の溝１３ｂが設けられている。溝１３ｂが設けられているので、栽培装置１が野外に設置されている場合において例えば雨等が降ったときに、雨水が底部１３の下に溜まることなく、溝１３ｂより流れ出ることができる。また、栽培装置１が設置されている床面の清掃を行う場合等において溝１３ｂに水を流すことができる。
【００５３】
栽培装置１に架台５が装着可能であるので、栽培装置１と架台５とが一体となった栽培システム３を提供することができる。したがって、この栽培システム３単独で、壁面緑化を行うことができる。
【００５４】
以上、本発明の第１実施形態について説明した。第１実施形態では、外装容器１０の内部に２つのプランタ４０が配置される形態について説明した。しかし、これに限らず、上述したように、外装容器１０の内部に収納可能なプランタ４０の数は１でもよく、また、２より多くてもよい。
また、本実施形態では送液ポンプ３０は外装容器１０の内部に配置されているが、これに限らず、外装容器１０の外部に配置してもよい。
【００５５】
（第２実施形態）
図５は本発明の第２実施形態の栽培装置１００を示す図である。
第２実施形態の栽培装置１００は、上述の栽培装置１を複数連結したものである。実施形態では２つ連結した形態について説明するがこれに限定されない。
さらに、第２実施形態の栽培装置１００の端壁部１１２には貫通穴１１２ｄが設けられている。この貫通穴１１２ｄも、第１実施形態と同様に、培地収容部１２１の底面１４４に設けられた開口１４３が、培養液貯留部１２０に貯留される培養液に触れることがないような高さに設けられている。
【００５６】
２つの栽培装置１００Ａと栽培装置１００Ｂとを連結する際に、貫通穴１１２ｄには管状部材１１２ｅが挿通される。
また、送液ポンプ３０は２つの栽培装置１００Ａと栽培装置１００Ｂとのうちの一方にだけに設けられている。
散水ホース１３１は、送液ポンプ３０が配置されている栽培装置１００Ｂと栽培装置１００Ａとに跨って延びている。水位計１９０も栽培装置１００Ｂのみに設けられている。
他の構成については、第１実施形態と同様であるので説明を省略する。
【００５７】
第２実施形態によると、複数の栽培装置１００Ａと栽培装置１００Ｂが連結され、一つの送液ポンプ１３０により散水が行われるので、効率がよく経済的である。
栽培装置１００Ｂと１００Ａの貫通穴１１２ｄを、一本の管状部材１１２ｅが通されることで、栽培装置１００Ｂと１００Ａとが連結される。
これにより、培養液貯留部１２０に貯留されている培養液も、両栽培装置１００Ｂ，１００Ａ間を流動することができるので、液量の一括管理が可能である。なお水位計も一つでよい。
本実施形態によると、第１実施形態の効果に加え、一つの送液ポンプ１３０及び水位計１１９で、より多くのプランタ４０に潅水することができるので、効率的である。
【００５８】
（第３実施形態）
図６は本発明の第３実施形態の栽培装置２００を示す図である。
第３実施形態は、第２実施形態と同様で複数の栽培装置２００Ａと栽培装置２００Ｂが連結されたものである。
第３実施形態と第２実施形態との相違点は、送液ポンプ２３０及び水位計２１９が設けられていない栽培装置２００Ａの外装容器２１０の形状が異なり、栽培装置２００Ａにおいて、ポンプ配置領域２２２及び第２中間壁部２１４Ｂが設けられていない点である。
本実施形態によると、第２実施形態の効果に加え、さらにポンプ配置領域２２２及び第２中間壁部２１４Ｂが１つ減少するので省スペースである。
【００５９】
（第４実施形態）
図７は第４実施形態の栽培装置３００を示す図である。第４実施形態が第１実施形態と異なる点は、段部３１１ｃがプランタ３４０のフランジ部を保持するのではなく、底部３４４の外周部を保持する点である。
本実施形態によると、例えばフランジ部が設けられていないプランタ３４０も保持することができる。
【００６０】
（第５実施形態）
図８は本発明の第５実施形態の栽培システム４０３を示す図である。第５実施形態の栽培装置１は第１実施形態と同様である。第１実施形態と異なる点は、架台４０５が、栽培装置１の側面に取り付けられており、栽培装置１の上面を覆う蓋部材４２０が設けられている点である。第１実施形態と同様である点の説明は省略する。
【００６１】
第５実施形態によると、第１実施形態と同様の効果の他に、栽培装置１の上面を覆う蓋部材４２０が設けられているので、培地４６に配置された植物の根元付近を覆うことができる。したがって、植物の根元付近が外側から覆われるので、より美観に優れる。なお、日光の照射については、蔓性の植物の場合、架台４０５を蔓が上るので、蓋部材４２０が障害になることはない。
【００６２】
（第６実施形態）
図９は第６実施形態の栽培装置６００を示す図である。第６実施形態が第１実施形態と異なる点は、送液ポンプ３０から散水パイプ３１へ延びるパイプ６１の途中に、切換バルブ６０が設けられている点である。そして、切換バルブ６０により切り替えられる流路の一方には散水パイプ３１、他方には外装容器１０の外部へと延びる排水パイプ６２が連結されている。他の構成は第１実施形態と同様であるので、同様な構成の説明は省略する。
【００６３】
切換バルブ６０を操作することにより、送液ポンプ３０から送られてパイプ６１を通る培養液の流路を、散水パイプ３１と排水パイプ６２との間で切り換えることができる。
送液ポンプ３０から送られてパイプ６１を通る培養液の流路が散水パイプ３１に連結されている場合、培養液は、散水パイプ３１に送られ、培地へと散水される。
送液ポンプ３０から送られてパイプ６１を通る培養液の流路が、切換バルブ６０の操作により切り換えられて排水パイプ６２に連結されると、外装容器１０の下部の培養液貯留部２０に貯留されている培養液は、排水パイプ６２を経て外部へと流出される。
【００６４】
本実施形態によると、送液ポンプ３０により培養液を吸い出して外部に排出することができる。これにより、培養液を交換する場合や、培養液貯留部２０を洗浄する場合等、培養液を容易に外部に排出することができる。
【００６５】
（第７実施形態）
図１０は第７実施形態の栽培装置７００を示す図である。第７実施形態が第１実施形態と異なる点は、前端壁部１２Ｂを貫通するフロート弁７２が設けられ、フロート弁７２から培養液貯留部２０にフロート７１が延びている点である。フロート７１の位置によりフロート弁７２は開閉する。フロート弁７２には給水源７３と肥料供給源７４とがそれぞれ連結されている。他の構成は第１実施形態と同様であるので、同様な構成の説明は省略する。
なお、フロート弁７２が設けられる壁部は、前端壁部１２Ｂに限定されず、後端壁部１２Ａであってもよく、横壁部１１であってもよい。
【００６６】
培養液貯留部２０の培養液の水位が所定水位より低くなると、フロート７１に連結されたフロート弁７２が開き、水道等の給水源７３と肥料供給源７４とから、培養液貯留部２０へ、水と肥料とが供給される。培養液貯留部２０の培養液の水位が所定水位を超えると、フロート弁７２が閉じ、水道等の給水源７３と肥料供給源７４とからの、水と肥料との供給が停止される。
【００６７】
これにより、培養液貯留部２０の水量及び肥料の量を一定に保つことができる。
なお、給水源７３と肥料供給源７４とに対してそれぞれフロート弁及びフロートを設け、それぞれ別に開閉を行うようにしてもよい。
【符号の説明】
【００６８】
１，１００，１００Ａ，１００Ｂ，２００，２００Ａ，２００Ｂ，３００，６００，７００    栽培装置
３  栽培システム
５    架台
５Ａ    誘引部
５Ｂ    装着部
１０，２１０    外装容器
１１    横壁部
１１ａ    内側領域
１１ｂ    外側領域
１１ｃ，３１１ｃ    段部
１１ｄ    着脱用空間部
１２，１１２    端壁部
１２Ａ    後端壁部
１２Ｂ    前端壁部
１２ａ    内側領域
１２ｂ    外側領域
１２ｃ    段部
１３    底部
１４    中間壁部
１４Ａ    第１中間壁部
１４Ｂ，２１４Ｂ    第２中間壁部
２０，１２０    培養液貯留部
２１    培地収容部
２１Ａ    第１プランタ配置領域
２１Ｂ    第２プランタ配置領域
２２，２２２    ポンプ配置領域
２９    架台装着凹部
３０，１３０，２３０    送液ポンプ
３１，１３１    散水パイプ
４０，３４０    プランタ
４２    フランジ部
【図１】
2018014959.tif 000003
【図２】
2018014959.tif 000004
【図３】
2018014959.tif 000005
【図４】
2018014959.tif 000006
【図５】
2018014959.tif 000007
【図６】
2018014959.tif 000008
【図７】
2018014959.tif 000009
【図８】
2018014959.tif 000010
【図９】
2018014959.tif 000011
【図１０】
2018014959.tif 000012